(57)【要約】【課題】遊技球の流下態様を多様化させることが可能な遊技機を提供する。【解決手段】遊技盤ベース１４に所定の遊技部材を備えて構成した遊技盤１５と、前記遊技盤１５の裏側に設けられ、該遊技盤１５の裏側を遊技球が流下可能に構成した導出通路２５と、前記遊技盤１５の表側領域Ａと前記導出通路２５とを連通する連通口２７と、前記遊技盤１５の表側領域Ａを流下する遊技球の接触を受けて、遊技球を前記連通口２７及び前記連通口２７以外のいずれかに振り分ける振分け部材３１とからなる。【選択図】    図２
2006271438.tif 000002
【特許請求の範囲】
【請求項１】
遊技盤ベースに所定の遊技部材を備えて構成した遊技盤と、
前記遊技盤の裏側に設けられ、該遊技盤の裏側を遊技球が流下可能に構成した導出通路と、
前記遊技盤の表側領域と前記導出通路とを連通する連通口と、
前記遊技盤の表側領域を流下する遊技球の接触を受けて、遊技球を前記連通口及び前記連通口以外のいずれかに振り分ける振分け部材とからなることを特徴とする遊技機。
【請求項２】
振分け部材は、遊技盤ベースに回転可能に備えられた回転体であることを特徴とする請求項１に記載の遊技機。
【請求項３】
回転体は、遊技球が接触する羽根部材と、該羽根部材を軸支する羽根軸とで構成され、
該回転体は、遊技盤ベースに対して取り付けられる回転軸を介して回転可能に備えられていることを特徴とする請求項２に記載の遊技機。
【請求項４】
回転体は、羽根部材が遊技盤ベースの前後方向に回転することを特徴とする請求項３に記載の遊技機。
【請求項５】
振分け部材は、遊技盤ベースの前後方向に移動可能であることを特徴とする請求項１乃至４のいずれかに記載の遊技機。
【請求項６】
導出通路を複数通路に分岐する分岐部を設け、
前記導出通路は、前記分岐部から遊技盤ベースの前後方向と左右方向のいずれか一方若しくは双方に延設されていることを特徴とする請求項１乃至５のいずれかに記載の遊技機。
【発明の詳細な説明】
【技術分野】
【０００１】
本発明は、遊技球の流下態様を多様化させ得る遊技機に関する。
【背景技術】
【０００２】
弾球遊技機（いわゆるパチンコ機）は、発射装置のハンドルのレバーを時計方向に回転させ、例えば内蔵する発射ソレノイドを作動させて遊技球を遊技盤の遊技領域に打ち出すことにより、該遊技領域に備えた多数の遊技釘や風車などの遊技部材により遊技球が転動しつつ流下し、所望な入賞装置に遊技球が入賞することで所望な演出がなされ、かつ賞球を得ることにより遊技を楽しむものである。
従来、この種の遊技機として、例えば特許文献１に開示の技術が開示されており、該特許文献１に開示の技術では、遊技部材としての風車を遊技盤の前面に対して垂直に軸支して備えている。
【特許文献１】特開２００１−３０００３３号公報
【発明の開示】
【発明が解決しようとする課題】
【０００３】
しかし、前記特許文献１に開示の先行技術を含め従来のこの種の遊技機では、前記風車が回転可能に軸支され、遊技球の接触によって左右いずれかの方向に回転して遊技球の流下方向を変化させるものではあったが、遊技盤の左右方向に回転（横回転）するものでしかなかったため、興趣に欠けていた。
すなわち、従来の遊技機に備えられている遊技部材は、接触した遊技球に対して平面方向の流下態様の変化しか与えられないため、流下態様が単調であり興趣に欠けていた。
本発明は、このような問題を解決するためになされており、その目的とするところは、遊技球の流下態様を多様化させることが可能な遊技機を提供することである。
【課題を解決するための手段】
【０００４】
このような目的を達成するために、第１の発明は、遊技盤ベース１４に所定の遊技部材を備えて構成した遊技盤１５と、前記遊技盤１５の裏側に設けられ、該遊技盤１５の裏側を遊技球が流下可能に構成した導出通路２５と、前記遊技盤１５の表側領域Ａと前記導出通路２５とを連通する連通口２７と、前記遊技盤１５の表側領域Ａを流下する遊技球の接触を受けて、遊技球を前記連通口２７及び前記連通口２７以外のいずれかに振り分ける振分け部材３１とからなることを特徴とする遊技機としたことである。
【０００５】
本発明によれば、上述のような構成を採用したことで、表側領域Ａに打ち出されて遊技盤１５の表側を流下する遊技球が、連通口２７と該連通口２７に備えた振分け部材３１を介して導出通路２５に案内され、該導出通路２５により遊技盤１５の裏側を流下することがある。
このような構成を採用したことにより、遊技球の流下態様に立体的、すなわち遊技機の奥行き方向に対する変化を加えることができるため、遊技球の流下態様が多様化し、遊技の興趣が向上する。
【０００６】
第２の発明は、第１の発明において、振分け部材３１は、遊技盤ベース１４に回転可能に備えられた回転体であることを特徴とする遊技機としたことである。
【０００７】
本発明によれば、第１の発明の効果とともに、振分け部材３１を回転体としたことにより、該振分け部材（回転体）３１に接触した遊技球には、該回転体３１の回転が加わるので、振り分け態様が多様化し、遊技機の興趣が向上する。
【０００８】
第３の発明は、第２の発明において、回転体３１は、遊技球が接触する羽根部材３２と、該羽根部材３２を軸支する羽根軸３３とで構成され、該回転体３１は、遊技盤ベース１４に対して取り付けられる回転軸３４を介して回転可能に備えられていることを特徴とする遊技機としたことである。前記回転体３１として、例えば、風車が採用される。
【０００９】
本発明によれば、第２の発明の効果とともに、遊技球の振分け部材３１として、例えば風車の回転が加わるので、振り分け態様が多様化し、遊技機の興趣が向上する。
また、単に固定状の遊技部材で振り分けられるものと比較すると、風車の回転による振り分けは遊技球の勢いによって遊技者の推測し得ない動きをし、遊技球の振り分け態様が多様化するので、遊技盤１５表裏のどちらに振り分けられるか遊技者は興趣をもって遊技することができる。
【００１０】
第４の発明は、第３の発明において、回転体３１は、羽根部材３２が遊技盤ベース１４の前後方向（奥行き方向）に回転することを特徴とする遊技機としたことである。
【００１１】
本発明によれば、第３の発明の効果とともに、回転体３１に接触した遊技球に前後方向の動きが加わるので、接触した遊技球を導出通路２５に導出し、遊技球の流下態様に変化を生じさせることが可能となった。
また、従来風車等の回転体は、遊技盤に対して垂直に設けられていたため、横方向の回転しか見ることが出来なかったが、本発明はこのような構成にしたことで、縦方向の回転を見ることが出来るようになった。
【００１２】
第５の発明は、第４の発明において、振分け部材３１は、遊技盤ベース１４の前後方向に移動可能であることを特徴とする遊技機としたことである。
【００１３】
本発明によれば、第４の発明の効果とともに、遊技盤１５前後方向の振り分け（導出通路２５を通過させるか否かの振り分け）を調整できるため、例えば、振分け部材３１の下方に入賞口１２を備えた場合には、振分け部材３１を入賞率の調整等に使用できる。
すなわち、従来の遊技機では、遊技者が遊技機正面から風車の角度を見るだけで左右への振り分け率を推測できたが、本発明によれば、正面から見ただけでは、前後の振り分け率が推測できない。
従って、振分け部材３１を前後方向に移動することによって、遊技者に簡単に推測されることなく振り分け率を変更できる。例えば、導出通路２５を通過した場合には、入賞率が上がるように下位の遊技釘１６等を調整し、導出通路２５を通過しなかった場合には、入賞率が下がるように下位の遊技釘１６等を調整するように構成しておけば、振分け部材３１の前後調整で入賞率の微調整ができる。
【００１４】
第６の発明は、第１乃至第５のいずれかの発明において、導出通路２５を複数通路２５−１，２５−２に分岐する分岐部２６を設け、前記導出通路２５は、前記分岐部２６から遊技盤ベース１４の前後方向と左右方向のいずれか一方若しくは双方に延設されていることを特徴とする遊技機としたことである。
【００１５】
本発明によれば、第１乃至第５の発明の効果とともに、導出通路２５が分岐部２６を介して複数通路２５−１，２５−２に構成されていることから、振分け部材３１によって導出通路２５へと振り分け案内された遊技球は、分岐部２６によって複数の導出通路２５−１，２５−２のいずれかを通過する。
従って、例えば夫々の導出通路２５が遊技者側（遊技機正面側）から視認できない構成とした場合等、遊技者からはどの導出通路２５−１，２５−２を通過して表側領域Ａに遊技球が排出されるか期待感・面白みが沸くため遊技の興趣が向上する。
また、所定の導出通路２５−１を通過した場合には、第５の発明と同様に、入賞率が上がる構成を備えた流下ルートとなり、それ以外の導出通路２５−２を通過した場合には、入賞率の下がる流下ルートとなるように構成すれば、遊技の興趣が向上する。
【発明の効果】
【００１６】
本発明によれば、遊技球の流下態様を多様化させることが可能な遊技機が提供できる。
【発明を実施するための最良の形態】
【００１７】
以下、本発明の一実施形態について説明する。なお、本実施形態は本発明の一例にすぎずなんらこれに限定解釈されるものではなく、本発明の範囲内で設計変更可能である。
【実施例１】
【００１８】
図１は、本発明を適用した弾球遊技機の一例を示す概略斜視図で、図２は、図１の遊技機に備えられる遊技盤の概略正面図である。
【００１９】
弾球遊技機は、外枠１と内枠２にて構成された遊技機本体枠を備え、図１に示すように、外枠１の前面に内枠（ベースドア）２が回動自在に軸支され、該内枠２の前面には、遊技盤ベース１４の表面に種々の遊技部材を備えて表側領域（表側の遊技領域ともいう）Ａを構成した遊技盤１５が着脱自在に装着され、該遊技盤１５の背面には図示しない演出表示装置が着脱自在に装着されている。
なお、前記演出表示装置は特に限定されず本発明の範囲内で設計変更可能である。例えば、演出表示装置は、「７」「７」「７」などの装飾的な演出表示等を行ったりする液晶演出表示装置（ＬＣＤ：Liquid Crystal Display）や、投影機からの動画又は静止画を、反射板で屈折して表示させる投影型画像演出表示装置も対象で、特に限定されず本発明の範囲内で種々の演出表示装置が適用される。また、本発明では演出表示装置を備えない遊技機であっても対象とされる。
【００２０】
そして、前記内枠２の前面には、図１に示すように、ガラス板４を嵌めたガラス扉（フロント扉）３が前記内枠２の前面側の一側を回動軸（ヒンジ部）として回動自在に軸支され、該ガラス扉３の閉鎖時には、該ガラス扉３の前側からガラス板４を介して前記遊技盤１５が視認される。
また、本実施例では、図１に示すように、前記ガラス扉３の配設位置よりも上方の内枠２の前面には、音による演出装置としてのスピーカ２３が備えられている。
そして、ガラス扉３の前面側には、図１に示すように、光による演出装置としてのランプ飾り２４が備えられている。
【００２１】
前記ガラス扉３の前面下部には、図１に示すように、払出装置から払い出された遊技球が遊技球受入口５ａから供給されるとともに、発射装置へと遊技球を供給するための遊技球供給皿（上皿）５を一体的に備えている。
そして、前記ガラス扉３を軸支した内枠２の前面下部には、前記遊技球供給皿５満杯時に遊技球受入口５ａの内方で溢れ出た球を排出する下皿排出口６ａを有する下皿６を備えた取付ベース７が回動自在に軸支されている。
また、図１で示す符号８は、遊技球を表側領域Ａへ向けて発射する発射装置のハンドルで、該ハンドル８のレバー８ａを時計回り方向に回転させることにより発射停止スイッチがONとなり、駆動する図示しない発射ソレノイド駆動により槌先が作動して、遊技球供給皿５から供給された遊技球を叩打して遊技球を遊技盤１５に備えられた表側領域Ａに打ち出す。
【００２２】
遊技部材は、弾球遊技機において遊技に必要な全ての部材を言い、例えば、遊技球が転動する表側領域Ａを区画すると共に、該表側領域Ａに発射ソレノイドから打ち出される遊技球を導くガイドレール９、大当たりとするか否かの抽選処理を起動する始動入賞装置（始動入賞口ともいう）１０、大当たり時に開放するアタッカと称する特別電動役物の大入賞装置（大入賞口ともいう）１１、遊技球が入賞することにより遊技球の払い出しが行われる一般入賞口となる一般入賞装置１２、普通図柄表示装置作動用のゲート１８、表側領域Ａでの入賞を逃したアウト球を排出するアウト口１３、遊技盤ベース１４に打たれている多数の遊技釘１６、そして遊技球が転動可能なステージ１７ａ及び天通路１７ｂなどの遊技部材が一例として挙げられる。
【００２３】
また、特に限定されるものではないが、本実施例では、これら遊技部材の全てを透明部材で形成することも可能である。なお、前記ステージ１７ａ及び天通路１７ｂは、特に本実施例では説明を省略するが、表側領域Ａを転動する遊技球を、天通路１７ｂに備えた導出口から図示しない裏側の遊技領域へと転動案内し、ステージ１７ａを介して再び表側領域Ａへと排出するワープ通路を構成している。
【００２４】
なお、前記遊技釘１６は一部のみ図面に表しているもので、表側領域Ａの他の箇所にも設けられ、該遊技釘の配設箇所・配設本数などは本発明の範囲内で設計変更可能である。
また、本実施例では、図２に示すように、ゲート１８の下方領域に備えられる遊技釘１６は、後述する振分け部材方向へと遊技球が流下案内され易いように配置構成するとともに、後述する連通口の下方領域に備えられる遊技釘１６は、前記連通口から排出された遊技球が下方の入賞口１２へと流下案内され易いように配置構成するものとしている。
【００２５】
そして、本実施例では、この遊技部材の構成の一つとして、図２に示すように、振分け部材を備えるものとしている。振分け部材の詳細については後述する。
【００２６】
遊技盤ベース１４は、前記各遊技部材を固定でき、かつ、容易に変形しない（曲がらない）又は変質しない程度の硬度・強度等を有する材質のものを選択するのが好ましい。
なお、遊技盤ベース１４はその全域が透光性部材（透明部材）で形成され、表側領域Ａ全域を介して裏側が視認可能としているものや、少なくとも演出表示装置の表示領域と対応する同程度の大きさの透光性部材を備え、その他の領域を非透光性部材（非透明部材）で構成するもの等特に限定解釈されるものではない。また、演出表示装置を備えない形態の場合には遊技盤ベース１４の全域を非透光性部材で構成するものとしてもよい。
【００２７】
遊技盤ベース１４を構成する透光性部材は、例えば、透明性の高い硬質の合成樹脂材が一例として挙げられ、さらに具体的には、無色透明のアクリル樹脂材、ポリカーボネート樹脂、ポリアリレート樹脂などが任意に選択される。遊技盤ベース１４の全体を構成する透光性部材は無色透明が好ましいが、有色透明部材を採用することも可能である。また仕様によっては遊技盤ベース１４を無色透明部材と有色透明部材とで構成したり、遊技盤ベース１４に色彩・模様を施すことも可能である。但し、遊技盤１５の表側領域Ａの裏側全域に演出表示装置を配置するような場合には、演出表示装置による演出に悪影響を及ぼさない範囲内で設計変更可能である。この場合、模様は無色透明の線図が好ましいが、遊技盤１５の裏面側に配設される演出表示装置の構成によっては有色模様を施すことも可能である。また、樹脂以外の材質、例えばガラスなどを採用することも本発明の範囲内であり設計変更可能である。
【００２８】
本実施例では、図２乃至図４に示すように、前記表側領域Ａの任意領域に対応する遊技盤ベース１４の裏側に、該遊技盤ベース１４の裏側を遊技球が流下可能なように構成された導出通路２５と、該導出通路２５と前記表側領域Ａを連通する連通口２７が備えられている。
【００２９】
導出通路２５は、図２乃至図３に示すように、遊技盤ベース対向側（前面）を縦長状に開口した樋形状とし、該開口２５ａの縁部を遊技盤ベース１４の裏面に固着させて、該遊技盤ベース１４と一体的に備えている。導出通路２５内は、遊技盤ベース１４の裏面と通路内面との間にて遊技球が通過可能な空間領域Ｒ１が形成されている。なお、導出通路２５は遊技球が流下可能な通路を有しているものであればその外観形状、例えば奥行き方向幅や上下方向長さなどは特に限定されず本発明の範囲内で設計変更可能である。
【００３０】
本実施例では、図２乃至図４に示すように、導出通路２５内に分岐部２６を設ける形態を採用しており、該分岐部２６により、導出通路２５内を複数通路２５−１，２５−２に構成している。
分岐部２６は、本実施例では、導出通路２５の左右方向（水平方向）で、該導出通路２５内を二分するように平板の壁部材をもって備えられ、遊技球を左右に分岐させて流下させている。
従って、導出通路２５内に受け入れられた遊技球は、前記分岐部２６によって左右いずれかの通路２５−１，２５−２に振り分けられる。
【００３１】
連通口２７は、前記導出通路２５と表側領域Ａを連通するように遊技盤ベース１４の表面と裏面にわたって遊技球が通過可能な所定形状をもって開口されているもので、本実施例では、表側領域Ａに備えられているゲート１８の下方領域に正面視矩形状に穿設されている第一の連通口２８と、該第一の連通口２８の下方に遮蔽壁３０を上下方向に挟んで開口されている第二の連通口２９が備えられている。特に限定解釈されるものではないが、本実施例では、前記遮蔽壁３０を備えて、導出通路２５内の遊技球の流下を遊技者側から視認し難くするために第一の連通口２８と比して第二の連通口２９を小さく形成している。
前記第一の連通口２８は、表側領域Ａを流下する遊技球が導出通路２５内へと受け入れられる遊技球導出口として用いられ、第二の連通口２９は、前記導出通路２５から再び表側領域Ａへと遊技球を排出（導入）する遊技球導入口として用いられる。
【００３２】
前記遮蔽壁３０は、第一の連通口２８から受け入れられ、前記導出通路２５内を通過する遊技球の流下状態が遊技者側から視認し難いため、第二の連通口２９から表側領域Ａに排出される遊技球の動きに注目して遊技をすることとなり遊技の興趣が向上する。また、上記したように導出通路２５内に分岐部２６を備えた形態の場合には、導出通路２５を流下する遊技球が分岐部２６によって、通路２５−１，２５−２のいずれを通って表側領域Ａに排出されるかが前記遮蔽壁３０によって分かり難くなっていることから遊技の興趣は向上する。
【００３３】
そして、本実施例では、表側領域Ａを流下する遊技球を前記第一の連通口２８と該第一の連通口２８以外の領域に振り分ける振分け部材３１を、前記第一の連通口２８に備えている。
【００３４】
振分け部材３１は、表側領域Ａを流下する遊技球の接触を受けて、遊技球を前記第一の連通口２８と、該第一の連通口２８以外の領域、すなわち振分け部材３１とガラス板４との間の表側領域Ａ１のいずれかに振り分けて流下させる部材である。
【００３５】
振分け部材３１は、例えば本実施例では、図２乃至図４に示すように、遊技盤ベース１４に回転可能に備えられた回転体が一例として挙げられている。以下、回転体に振分け部材３１と同一符号を付して説明する。
回転体３１は、図３に示すように、遊技球が接触する羽根部材３２と、該羽根部材３２を軸支する羽根軸３３とで構成された風車形態とし、該回転体３１は、遊技盤ベース１４に対して取り付けられる回転軸３４を介して回転可能に備えられている。
【００３６】
羽根部材３２は、図３を正面から見て略三角形状の板状に形成された３枚の接触羽根３２ａからなり、該３枚の接触羽根３２ａは、所定長さの円柱状に形成された羽根軸３３の周方向に夫々同一間隔をあけて、該羽根軸３３の長さ方向に一体的に備えられている（羽根軸３３の外周の周方向に等間隔で立上げ形成されている。）。そして、前記回転体３１は、その羽根軸３３の軸心を通る回転軸３４が左右に貫通して一体成形されている。
【００３７】
前記回転体３１は、羽根部材３２が遊技盤ベース１４の前後方向（図４にて矢印で示す方向）に回転するように、前記第一の連通口２８の左右壁面２８ａ，２８ａに備えた軸孔２８ｂ，２８ｂに前記回転軸３４の両端を回動自在に挿入して備えている。なお、回転体３１と第一連通口２８との位置関係は特に図示例に限定されるものではなく、表側領域Ａ寄りに回転体３１を備えてもよく、あるいは導出通路２５寄りに回転体３１を備えるものとしてもよく任意に設計変更可能である。
また、本実施例では回転体３１の一例を示したに過ぎず、回転体３１の構成は特に限定されず、本発明の範囲内で設計変更可能である。たとえば羽根部材３２の形状や配設枚数などを変更することや、回転体３１の全体形状を他の形状に変更することができる。
【００３８】
ここで、本実施例遊技機の表側領域Ａに打ち出された遊技球の流下態様について説明する。
表側領域Ａに打ち出された遊技球は、表側領域Ａに備えた天通路１７ｂや遊技釘１６などの種々の遊技部材に接触して流下態様が変化しつつ転動する。
そして、遊技球が前記表側領域Ａを回転体３１方向へと流下し、該回転体３１に接触したときに、遊技球は、回転体３１によって案内され、第一の連通口２８を介して導出通路２５へと案内される。
そして、導出通路２５へと案内された遊技球は、分岐部２６によって複数の通路２５−１，２５−２のうちいずれかの通路を選択して流下する。
【００３９】
そして、導出通路２５から第２の連通口２９を介して表側領域Ａに排出されるが、本実施例では、分岐部２６によって左右に通路２５−１，２５−２が振り分けられているため、一方の通路（図２にて左側に備えられている第２の連通口２９から見える左側の通路２５−１、若しくは右側に備えられている第２の連通口２９から見える右側の通路２５−１）から排出された遊技球は、その下方に備えた遊技釘１６構成が、入賞口１２へと入賞案内され易いように備えられていることから、入賞口１２への入賞確率が高い。なお、他方の通路（図２にて左側に備えられている第２の連通口２９から見える右側の通路２５−２、若しくは右側に備えられている第２の連通口２９から見える左側の通路２５−２）から排出された遊技球は、そのままアウト口１３に案内されるか、別の入賞口１２へと案内されることとなる。
また、回転体３１によって導出通路２５方向に案内されない遊技球は、回転体３１とガラス板４との間の表側領域Ａ１を通過して流下する。
さらに、ゲート１８下方には、該ゲート１８を通過して流下してきた遊技球が、回転体３１方向へと案内され易いように遊技釘１６構成を調整しているため、ゲート１８を通過した遊技球は、回転体３１方向へと流下案内され易い。
「変形例１」
【００４０】
本実施例では、図２の遊技盤１５を正面から見て左右対称位置の２箇所に導出通路２５と連通口２７と回転体３１を夫々備える一例を示したが、導出通路２５と連通口２７と回転体３１の組合せは、遊技盤１５上で１箇所でも３箇所以上であってもよく本発明の範囲内で設計変更可能である。
また、その配設箇所も特に限定されず任意であるが、入賞口１２の上方領域など第二の連通口２９から排出される遊技球の流下態様によって遊技の興趣を向上させるような箇所に備えるのが好ましい。
「変形例２」
【００４１】
また、第一の連通口２８と第二の連通口２９とが上下方向同一線上に備えられていない構成であってもよく、例えば、第一の連通口２８の下方領域で、該第一の連通口２８に対して水平方向にずれた位置に第二の連通口２９を備えることで、遊技者に意表をついた遊技球の流下態様を提供することができる。
特に、上述したように導出通路内に分岐部を備え、複数の通路が形成されている形態の場合、夫々の通路の連絡先となる第二の連通口が一つではなくて、第一の連通口と水平方向にずれた位置に複数個備えるものとすれば、導出通路を流下する遊技球の排出先が、いずれかの第二の連通口となるかが分からず、どの連通口を通って排出されるかが遊技者側から掴み難い為、遊技者は遊技球の転動に注目し、さらなる遊技の興趣が向上する。
「変形例３」
【００４２】
本実施例では、分岐部２６によって導出通路２５内を左右の２つの通路２５−１，２５−２に分岐させているが、これに限定されるものではなく、例えば導出通路２５内を前後方向で２つの通路に分岐させて遊技球が通路内を前後方向で流下する形態とすることも可能である。なお、分岐部を備えない形態も本発明の範囲内である。
また、分岐部は、左右方向と前後方向の双方に備え、通路内を前後左右の複数の通路に分岐させて遊技球を流下させることも可能で、実施の形態に応じて適用可能である。
さらに、導出通路は、該導出通路の上下方向中途部付近より下方の領域に複数の分岐路を予め設けておくことも可能である。これにより、別途分岐部を備える作業時間・労力が軽減され有用である。
さらに、本実施例では、遮蔽壁３０を備えて導出通路２５を流下する遊技球が分岐部２６によってどの通路２５−１，２５−２を通って排出されるか分かり難くしているが、この遮蔽壁３０を備えない形態であってもよく本発明の範囲内で変更可能である。また、遮蔽壁の形状は特に限定されず、第二の連通口が遊技球を一つずつ排出可能な程度の穴形状となるように遮蔽壁を形成することも可能である。
「変形例４」
【００４３】
振分け部材３１は、本実施例において遊技盤ベース１４に回転可能に備えられる回転体をもって説明するが、回転しない形態であっても本発明の範囲内である。
例えば、特に図示はしないが、第一の連通口から表側領域Ａに向けて所定長さ一体的に突出する板状部材で、その板状部材に接触して導出通路に案内させるか、板状部材先端とガラス板との間の隙間を通過して表側領域を流下させることで振り分ける形態を採用することも可能である。
また、他の振り分け部材形態として特に図示はしないが、上面と遊技盤ベースに摺接する背面を開放した箱状体を形成し、該箱状態の開放背面側を第一の連通口の前方にて水平方向に摺動するように移動可能に備えるとともに、該箱状体を所定の駆動源と連係させて遊技盤ベース表面を水平方向に摺動可能に構成した振り分け部材としてもよい。これにより、該箱状体で受けた遊技球を第一の連通口に案内させるか、箱状体に受け入れられずに表側領域を流下させることで振り分ける形態を採用することも可能である。
【実施例２】
【００４４】
図５及び図６は本発明遊技機の実施例２を示す図で、図５は横断平面図、図６は遊技機の要部の概略を拡大して示す縦断側面図である。
本実施例は、振分け部材３１が遊技機の奥行き方向（図５にて矢印で示す遊技盤ベース１４の前後方向）に移動可能に構成したことを特徴とする実施の一例である。
なお、本実施例では、振分け部材３１を移動可能に構成した点に特徴的な構成を有するもので、その他の遊技機構成については特に限定されず前記実施例１（変形例も含む）の説明を援用可能であるため、以下その特徴的な構成についての説明に留め、その他の遊技機構成についての詳細は省略する。
【００４５】
例えば、図に基づいてその一例を説明すると、第一の連通口２８の左右壁面２８ａ，２８ａに備えた双方の軸孔２８ｂ，２８ｂを遊技機の奥行き方向に長尺状に形成するとともに、一方の軸孔２８ｂを遊技盤１５外方向にわたって長孔状に形成する。
【００４６】
そして、その一方の長尺状軸孔２８ｂに回転軸３４の一端を摺動可能に挿通するとともに、その回転軸３４の一端を、遊技盤１５外にて保持部３５で回動自在に保持する。
該保持部３５は、遊技機の奥行き方向に移動（伸縮）可能な所定の駆動機構（シリンダなど）３６と一体的に連係し、該駆動機構３６を介して遊技機の奥行き方向に前後移動する（図５及び図６にて矢印は移動方向を示す。）。
【００４７】
このように構成することで、駆動機構３６を前後方向に移動させると、その先端に一体に備えた保持部３５が前後方向に移動するため、該保持部３５に回動自在に保持されている回転軸３４を介して回転体３１は前後方向に移動し、表側領域Ａ１に突出する割合が変化する（図５及び図６にて矢印は移動方向を示す。）。
図６（ａ）は回転体３１が第一の連通口２８の奥行き方向略中心に位置している状態、（ｂ）は表側領域Ａ１方向に移動した状態を示す。図６（ｂ）のように、表側領域Ａ１方向に移動して回転体３１の突出割合が高く設定されている状態の方が、該回転体３１に接触して導出通路２５へと案内される遊技球の割合が高くなる。本実施例によれば、遊技球は、導出通路２５を通過したときの方が、実施例１で説明したように遊技釘１６構成によって下方の入賞口１２への入賞確率が高い。
【００４８】
なお、駆動機構３６の移動調整は、所定時間毎に行うものとしてもよく、また所定の条件を満たすことを条件に移動するように制御するものとしてもよい。
前記所定の条件としては、例えば、始動入賞口１０への遊技球の入賞を契機に遊技状態が遊技者にとって有利な特定の遊技状態に移行したことや、遊技球がゲート１８を通過したことなどが一例として挙げられる。
本実施例によれば、回転体３１の前後方向の移動割合を変化させることによって、導出通路２５と、回転体３１とガラス板４との間の表側領域Ａ１とのいずれに遊技球を振り分けるかの振り分け率を変化させることが可能である。また、このような回転体３１の前後方向の移動による振り分け率の変化は、遊技者からは解り難く、微調整も可能であるため、遊技球の流下態様が多様化し、遊技の興趣が向上する。
【図面の簡単な説明】
【００４９】
【図１】本発明遊技機の概略を示す全体斜視図。
【図２】遊技盤の概略正面図。
【図３】要部の概略を拡大して示す横断平面図。
【図４】要部の概略を拡大して示す縦断側面図。
【図５】実施例２の遊技機における要部の概略を拡大して示す横断平面図。
【図６】実施例２の遊技機における要部の概略を拡大して示す縦断側面図であって、（ａ）は振分け部材が、遊技盤ベースの奥行き方向略中心に位置している状態、（ｂ）は振分け部材が遊技盤ベースの奥行き方向前方に位置している状態を示す。
【符号の説明】
【００５０】
Ａ  表側領域
Ａ１  振分け部材とガラス板との間の表側領域
１４  遊技盤ベース
１５  遊技盤
２５  導出通路
２６  分岐部
２７  連通口
３１  振分け部材（回転体）
３２  羽根部材
３３  羽根軸
３４  回転軸
【図１】
2006271438.tif 000003
【図２】
2006271438.tif 000004
【図３】
2006271438.tif 000005
【図４】
2006271438.tif 000006
【図５】
2006271438.tif 000007
【図６】
2006271438.tif 000008